(57)【特許請求の範囲】
【請求項１】
複数の中空な金属製四角柱（１），（１）・・と、これらの金属製四角柱（１），（１）・・に対して貫通固定されて該金属製四角柱（１），（１）・・のフレ止めを行うチャンネル（１１）と、前記金属製四角柱（１），（１）・・のうちの選ばれたものにおける上下方向中間部位を所定の支柱（２２）に対して固定する中間固定金具（２６）とを備えた外壁用下地構造であって、前記中間固定金具（２６）を、前記金属製四角柱（１）の相対向する２面（５），（６）に対してビス（２７）により固定される一対の対向辺（２６ａ），（２６ａ）と、該対向辺（２６ａ），（２６ａ）の端部を連結するとともに前記支柱（２２）に対して溶接等により固着される連結辺（２６ｂ）とからなる断面コ字状の部材で構成するとともに、前記対向辺（２６ａ），（２６ａ）には、前記金属製四角柱（１）と前記支柱（２２）との間隔に対応して前記ビス（２７）が選択螺合される複数のビス穴（２８），（２８）・・を形成したことを特徴とする外壁用下地構造。
【請求項２】
前記各金属製四角柱（１）の相対向する二面（５），（６）には、前記チャンネル（１１）を嵌合するためのチャンネル嵌合溝（１２）を下端に有する正面側切欠開口（９）と、該正面側切欠開口（９）と相対向する裏面側切欠開口（１０）とをそれぞれ形成し且つ前記チャンネル嵌合溝（１２）の両側口縁（１２ａ），（１２ａ）には、前記チャンネル（１１）の嵌合時に該チャンネル（１１）の両側面に圧接される舌片（１５），（１５）を一体に形成する一方、前記正面側切欠開口（９）の片側口縁（９ａ）には、該片側口縁（９ａ）を折曲部（１３）として開閉自在とされ且つ閉止時に前記チャンネル（１１）の上方に近接される固定片（１４）を一体に突設したことを特徴とする前記請求項１記載の外壁用下地構造。
【発明の詳細な説明】
【０００１】
【発明が属する技術分野】
【０００２】
本願発明は、鉄骨建築物の外壁を構成する外壁用下地構造に関するものである。
【従来の技術】
【０００３】
鉄骨建築物の外壁用下地構造としては、例えば複数の軽量型鋼を建て込んだものが従来から良く知られている。この場合、軽量型鋼を建て込んだだけでは、スパン方向へのフレが問題となるところから、軽量型鋼相互をスパン方向に連結するフレ止めが必要となる。
【発明が解決しようとする課題】
【０００４】
ところが、軽量型鋼相互のフレ止めを行う場合、軽量型鋼とフレ止め部材との結合構造が複雑となるばかりでなく、組立工数も煩雑となるという問題があった。また、軽量型鋼を建て込んだものの場合、外壁材を貼付する面が出入りの激しい不揃い面となることが多く、外壁材の貼付作業が煩雑となるという不具合がある。
【０００５】
本願発明は、上記の点に鑑みてなされたもので、構造が簡単で且つ簡素な組立工数で面一な外壁材貼付面が得られる外壁用下地構造を提供することを目的とするものである。
【課題を解決するための手段】
【０００６】
本願発明の基本構成（請求項１の発明）では、上記課題を解決するための手段として、複数の中空な金属製四角柱１，１・・と、これらの金属製四角柱１，１・・に対して貫通固定されて該金属製四角柱１，１・・のフレ止めを行うチャンネル１１と、前記金属製四角柱１，１・・のうちの選ばれたものにおける上下方向中間部位を所定の支柱２２に対して固定する中間固定金具２６とを備えた外壁用下地構造において、前記中間固定金具２６を、前記金属製四角柱１の相対向する２面５，６に対してビス２７により固定される一対の対向辺２６ａ，２６ａと、該対向辺２６ａ，２６ａの端部を連結するとともに前記支柱２２に対して溶接等により固着される連結辺２６ｂとからなる断面コ字状の部材で構成するとともに、前記対向辺２６ａ，２６ａに、前記金属製四角柱１と前記支柱２２との間隔に対応して前記ビス２７が選択螺合される複数のビス穴２８，２８・・を形成している。
【０００７】
上記のように構成したことにより、中空な金属製四角柱１，１・・が、これら金属製四角柱１，１・・に貫通固定されるチャンネル１１によりスパン方向へのフレが防止されるとともに、金属製四角柱１，１・・のうちの選ばれたものにおける上下方向中間部位が所定の支柱２２に対して中間固定金具２６を介して強固に固定されることとなっているため、金属製四角柱１，１・・のスパン方向と直交する方向へのフレも防止されることとなり、構造が簡単で且つ簡素な組立工数で外壁材貼付面が面一となる外壁用下地構造が得られるとともに、外壁材貼付作業も容易となる。また、面一な外壁材貼付面および内壁材貼付面が同一の部材により同時に得られる。しかも、中間固定金具２６と金属製四角柱１との組付作業がビス２７の結合のみで行えるとともに、金属製四角柱１と支柱２２との間隔に対応してビス穴２８，２８・・を選択することにより、前記間隔の変化に容易に対応することができる。
【０００８】
請求項２の発明におけるように、前記各金属製四角柱１の相対向する二面５，６に、前記チャンネル１１を嵌合するためのチャンネル嵌合溝１２を下端に有する正面側切欠開口９と、該正面側切欠開口９と相対向する裏面側切欠開口１０とをそれぞれ形成し且つ前記チャンネル嵌合溝１２の両側口縁１２ａ，１２ａに、前記チャンネル１１の嵌合時に該チャンネル１１の両側面に圧接される舌片１５，１５を一体に形成する一方、前記正面側切欠開口９の片側口縁９ａに、該片側口縁９ａを折曲部１３として開閉自在とされ且つ閉止時に前記チャンネル１１の上方に近接される固定片１４を一体に突設した場合、中空な金属製四角柱１の相対向する二面５，６の一方側に形成された裏面側切欠開口１０から正面側切欠開口９の固定片１４を押し開きながらチャンネル１１を挿通させ後、あるいは固定片１４を手指で押し開いた状態でチャンネル１１を挿通させた後、該チャンネル１１を正面側切欠開口９の下端のチャンネル嵌合溝１２における舌片１５，１５に対して嵌合位置決めし、その後前記固定片１４を閉じてその下端をチャンネル１１の上方に近接させると、チャンネル１１のチャンネル嵌合溝１２からの離脱が規制され、金属製四角柱１へのチャンネル１１の組付が確実且つ強固となり、結果としてより堅牢な外壁用下地構造が得られる。
【発明の実施の形態】
【０００９】
以下、添付の図面を参照して本願発明の好適な実施の形態について詳述する。
【００１０】
この外壁用下地構造は、図１ないし図３に示すように、所定の間隔で基礎Ｂ上に立設されたＨ型鋼からなる支柱２２の外側に外壁を形成するためのものであり、例えば、前記支柱２２の外側において前記基礎Ｂ上と軒先に設けられた梁部材３０とにコの字状のランナー２１，２１をそれらの開放側が対向するようにして配設し、該ランナー２１，２１に複数の中空な金属製四角柱１，１・・（後に詳述する）の上下端をに嵌め込んでいき、金属製四角柱１，１・・をランナー２１，２１の流れ方向に所定間隔で建て込むとともに、前記金属製四角柱１，１・・に対して該金属製四角柱１，１・・のフレ止めを行う断面コ字状のチャンネル１１を貫通固定して構成される。符号２３は前記金属製四角柱１，１・・に貼られる外壁材（例えば、軽量気泡コンクリート板）である。
【００１１】
前記各金属製四角柱１は、図４に示すように、所定の幅に切断された金属板をその両端がコーナの一点において接するように四角筒状に折曲して構成されており、前記金属板の一方の端部には、前記金属製四角柱１の内側に折曲され、さらにその先端部が外側に向かって折曲されてなる逆Ｊ字状折曲部３が設けられ、前記金属板の他方の端部には、内側に逆Ｕ字状に折曲されてなる逆Ｕ字状折曲部４が設けられており、両者を連続して嵌合圧着せしめて上下方向に連続するコーナ型接続部２として成形されている。そして、該コーナ型接続部２における逆Ｕ字状折曲部４の基端から内側に向かってコの字状に突出するリブ１９が上下方向に連続して形成されている。このように構成したことにより、コーナ型接続部２の外れを前記リブ１９により防止できるとともに金属製四角柱１の剛性強化も図れる。
【００１２】
前記金属製四角柱１の四面５〜８のうち一方の相対向する二面５，６は正面および裏面とされ、該正面５と裏面６の横方向ほぼ中央部には、フレ止め用の断面コの字状のチャンネル１１を開放側を下向きあるいは上向きとして嵌合するためのチャンネル嵌合溝１２を底部に有する正面側切欠開口９と、該正面側切欠開口９と相対向する裏面側切欠開口１０とがそれぞれ形成されている。
【００１３】
前記正面側切欠開口９の片側口縁９ａ（換言すれば、チャンネル嵌合溝１２の上方に位置する片側口縁９ａ）には、該片側口縁９ａを折曲部１３として開閉自在とされ且つ閉止時に前記チャンネル１１の上方に近接される固定片１４が一体に突設されている。本実施の形態においては、前記固定片１４の開閉中心となる折曲部１３の上下には、該固定片１４の開閉動作を容易ならしめるための折曲補助手段として作用する円弧状のヌスミ部１７および長穴１８が形成されている。該ヌスミ部１７および長穴１８は折曲部１３の剛性を低減させて固定片１４の開閉を容易ならしめるためのものである。なお、長穴１８の形成個数は任意である。また、前記金属製四角柱１の四面５〜８のうち他の相対向する二面７，８は外壁材および内壁材の貼付面とされる。なお、本実施の形態において使用される金属製四角柱１は、外壁材貼付面７および内壁材貼付面８の幅が狭く、他の２面（即ち、正面５および裏面６）の幅が広い断面長方形形状を有するものとされている。また、金属製四角柱１における外壁材貼付面７および内壁材貼付面８には、上下方向に延びる多数のビード２４，２４・・が形成されている。該ビード２４，２４・・は、外壁材貼付面７および内壁材貼付面８に外壁材２３あるいは内壁材（図示省略）を貼付する際に固着手段として用いられるドライウォールスクリュー２５との螺着度を向上させる作用と、金属製四角柱１の座屈強度を補強する作用とを有している。
【００１４】
前記チャンネル嵌合溝１２は、チャンネル１１の横幅よりやや幅広とされており、その両側口縁１２ａ，１２ａには、前記チャンネル１１の嵌合時に該チャンネル１１の両側面に圧接される舌片１５，１５が一体に形成されている。つまり、チャンネル嵌合溝１２にチャンネル１１が嵌合された状態においては、チャンネル１１は、舌片１５，１５の圧接力により横方向移動が許容されない状態とされているのである。なお、前記裏面側切欠開口１０の底部にも、前記正面側切欠開口９におけるチャンネル嵌合溝１２と対向し且つチャンネル１１の横幅とほぼ同一の幅（即ち、嵌合されたチャンネル１１の横方向移動が許容されない幅）を有するチャンネル嵌合溝１６が形成されている。
【００１５】
前記固定片１４は、チャンネル１１の挿通時にチャンネル１１の先端により横向きに押し開かれるか、チャンネル１１の挿通前に手指により予め横向きに押し開かれ、チャンネル１１がチャンネル嵌合溝１２に位置決めされた状態において指力により横向きに閉じられることとなっている。そして、閉じられた状態において、固定片１４下端がチャンネル１１の上方に近接されてチャンネル１１の上方移動が規制されるようになっている。なお、閉じられた状態において、固定片１４の下端とチャンネル１１との間に若干の隙間が介在される方が、固定片１４の操作性を良好ならしめるためには好ましい。該隙間は、チャンネル１１が舌片１５，１５による規制力が作用しないようになるまで上方へ移動することができない程度の大きさとされる。
【００１６】
また、前記固定片１４の上方は、該固定片１４の開閉操作時において指等の出入りを許容する余剰開口２０とされている。
【００１７】
ところで、上記構成の金属製四角柱１，１・・を用いて外壁用下地構造を形成する場合、金属製四角柱１，１・・がスパン方向と直交する方向にフレるおそれがあるため、本実施の形態においては、前記金属製四角柱１，１・・のうちの選ばれたものにおける上下方向中間部位を前記支柱２２に対して固定する中間固定金具２６が付設されている。
【００１８】
前記中間固定金具２６は、前記金属製四角柱１の相対向する２面（即ち、正面５および裏面６）に対してビス２７により固定される一対の対向辺２６ａ，２６ａと、該対向辺２６ａ，２６ａの端部を連結するとともに前記支柱２２に対して溶接等により固着される連結辺２６ｂとからなる断面コ字状の部材で構成されており、前記対向辺２６ａ，２６ａには、前記金属製四角柱１と前記支柱２２との間隔に対応して前記ビス２７が選択螺合される複数のビス穴２８，２８・・が形成されている（図５参照）。符号２９は中間固定金具２６における対向辺２６ａ，２６ａを補強するためのビードである。
【００１９】
上記のように構成したことにより、中空な金属製四角柱１，１・・が、これら金属製四角柱１，１・・に貫通固定されるチャンネル１１によりスパン方向へのフレが防止されるとともに、金属製四角柱１，１・・のうちの選ばれたものにおける上下方向中間部位が所定の支柱２２に対して中間固定金具２６を介して強固に固定されることとなっているため、金属製四角柱１，１・・のスパン方向と直交する方向へのフレも防止されることとなり、構造が簡単で且つ簡素な組立工数で外壁材２３の貼付面７，７・・が面一となる堅牢な外壁用下地構造が得られるとともに外壁材貼付作業も容易となる。また、チャンネル１１によりフレ止めされた金属製四角柱１，１・・を建て込むとともに中間固定金具２６により金属製四角柱１，１・・のうちの選ばれたものを支柱２２に固定するという作業のみで面一な外壁材貼付面および内壁材貼付面が同一の部材で同時に得られる。
【００２０】
しかも、中間固定金具２６と金属製四角柱１との組付作業がビス２７による結合のみで行えるとともに、金属製四角柱１と支柱２２との間隔に対応してビス穴２８，２８・・を選択することにより、前記間隔の変化に容易に対応することができる。
【００２１】
また、本実施の形態においては、屋根の下地構造としても前記した金属製四角柱１，１・・が用いられている。
【００２２】
つまり、屋根構造を支えるべく所定間隔で配置されたＨ型鋼からなる母屋材３１，３１・・上に前記金属製四角柱１，１・・を軒先から棟に向かって所定間隔で並べ、これらの金属製四角柱１，１・・に対してチャンネル１１を貫通固定して該金属製四角柱１，１・・のフレ止めを行うとともに、金属製四角柱１，１・・を前記母屋材３１，３１・・に対してＬ字状固定具３２，３２・・により固定するようにしている。該Ｌ字状固定具３２は、前記母屋材３１に対しては溶接により固定される一方、金属製四角柱１に対してはビス３３により固定されることとなっている。符号３４は前記金属製四角柱１，１・・に対して固定される大波スレート、３５は軒先曲げ波板、３６は２階の床面３７を支持するデッキプレート、３８は桁である。
【００２３】
次に、具体的な建造物用下地構造の形成手順について説明する。
【００２４】
まず、図１に示すように、例えば支柱２２の外側において基礎Ｂ上と軒先に設けられた梁部材３０とにコの字状のランナー２１，２１をそれらの開放側が対向するようにして配設する。
【００２５】
次に、上記構成の複数の金属製四角柱１，１・・の上下端を上下のランナー２１，２１に嵌め込んでいき、金属製四角柱１，１・・をランナー２１，２１の流れ方向に所定間隔で建て込む。この時、金属製四角柱１，１・・のそれぞれの正面５および裏面６は同方向に向けられる。このようにすると、ランナー２１，２１のスパン方向に平行して各金属製四角柱１におけるボード貼付面７，８が並ぶこととなる。
【００２６】
しかる後、チャンネル１１を縦向き（即ち、開放側が横向きとなる向き）として各金属製四角柱１の裏面側切欠開口１０から正面側切欠開口９に次々に挿入する。すると、チャンネル１１の先端により固定片１４が横向きに押し開けられる。その後チャンネル１１を正規の姿勢（即ち、開放側を下向きとした姿勢）に姿勢変更させ、その後下方へ押し下げて正面側および裏面側切欠開口９，１０のチャンネル嵌合溝１２，１６に嵌合位置決めする。この状態においては、チャンネル１１はチャンネル嵌合溝１２における舌片１５，１５の圧接規制力により横方向の移動が規制されることとなる。
【００２７】
次に、チャンネル１１の挿通時に押し開かれた固定片１４を指力を用いて押し戻すと、固定片１４下端がチャンネル１１の上方に近接される。この状態においては、チャンネル１１は上方への移動が固定片１４により規制されることとなる。
【００２８】
なお、金属製四角柱１に複数対の正面側および裏面側切欠開口９，１０が形成されている場合には、上記作業を複数回繰り返す。
【００２９】
上記したようにチャンネル１１を組み付けると、チャンネル１１は、チャンネル嵌合溝１２における舌片１５，１５によって横方向の移動が規制されるとともに、固定片１４によって上方への移動が規制されることとなり、金属製四角柱１，１・・相互間がチャンネル１１により強固に連結されることとなる。この状態においては、金属製四角柱１，１・・のランナースパン方向へのユレが完全に防止されることとなる。
【００３０】
しかる後、金属製四角柱１，１・・のうちの選ばれたものにおける上下方向中間部位を前記支柱２２に対して中間固定金具２６を介して固定される。該固定は、中間固定金具２６における連結辺２６ｂを支柱２２に対して溶接により固着した後、中間固定金具２６における対向辺２６ａ，２６ａに形成されたビス穴２８，２８・・のうちの選ばれたものにビス２７を螺合させる。すると、中間固定金具２６と金属製四角柱１との組付作業がビス２７による結合のみで行えるとともに、金属製四角柱１と支柱２２との間隔に対応してビス穴２８，２８・・を選択することにより、前記間隔の変化に容易に対応することができる。
【００３１】
その後、外壁材貼付面７および内壁材貼付面８に対してドライウォールスクリュー（小ビス）２５を用いて外壁材２３および内壁材（図示省略）が張設されるが、金属製四角柱１，１・・が、チャンネル１１による連結性確保によってユレ防止されるとともに、金属製四角柱１，１・・のうちの選ばれたものにおける上下方向中間部位が所定の支柱に対して中間固定金具２６を介して強固に固定されることとなっているため、金属製四角柱１，１・・のスパン方向と直交する方向へのフレも防止されることとなり、構造が簡単で且つ簡素な組立工数で内外壁材貼付面が面一となる堅牢な外壁用下地構造が得られるとともに内外壁材貼付作業も容易となる。
【００３２】
なお、外壁の高さが金属製四角柱１の最大長より大きい場合には、最大長の金属製四角柱１，１・・を建て込んだ上部ランナーの上に一対の継ぎ足し用のランナー２１′，２１′を設け、該ランナー２１′，２１′間に所定長さに切断した金属製四角柱１，１・・を建て込んでいけばよい。
【００３３】
また、外壁用ボード２３の継ぎ目部分には、２本の金属製四角柱１，１を裏面が背中合わせとなるように建て込んめば、より一層の強度向上が得られる。
【００３４】
上記説明では、固定片１４をチャンネル１１の挿通により押し開くようにしているが、予め固定片１４を押し開いた状態でチャンネル１１を挿通するようにしてもよい。その場合、金属製四角柱１，１・・の上下端を上下のランナー２１，２１に嵌め込んでいくときに、金属製四角柱１，１・・のそれぞれの正面５および裏面６を同方向に向ける必要はなく、側面７，８が外壁材貼付面および内壁材貼付面となるように並べば逆向きとなってもよい。
【発明の効果】
【００３５】
本願発明（請求項１の発明）によれば、複数の中空な金属製四角柱１，１・・と、これらの金属製四角柱１，１・・に対して貫通固定されて該金属製四角柱１，１・・のフレ止めを行うチャンネル１１と、前記金属製四角柱１，１・・のうちの選ばれたものにおける上下方向中間部位を所定の支柱２２に対して固定する中間固定金具２６とを備えた外壁用下地構造において、前記中間固定金具２６を、前記金属製四角柱１の相対向する２面５，６に対してビス２７により固定される一対の対向辺２６ａ，２６ａと、該対向辺２６ａ，２６ａの端部を連結するとともに前記支柱２２に対して溶接等により固着される連結辺２６ｂとからなる断面コ字状の部材で構成するとともに、前記対向辺２６ａ，２６ａに、前記金属製四角柱１と前記支柱２２との間隔に対応して前記ビス２７が選択螺合される複数のビス穴２８，２８・・を形成して、中空な金属製四角柱１，１・・が、これら金属製四角柱１，１・・に貫通固定されるチャンネル１１によりスパン方向へのフレを防止するとともに、金属製四角柱１，１・・のスパン方向と直交する方向へのフレも防止するようにしたので、構造が簡単で且つ簡素な組立工数で外壁材貼付面が面一となる堅牢な外壁用下地構造が得られるとともに外壁材貼付作業も容易となるという優れた効果がある。また、面一な外壁材貼付面および内壁材貼付面が同一の部材で同時に得られるという効果もある。しかも、中間固定金具２６と金属製四角柱１との組付作業がビス２７の結合のみで行えるとともに、金属製四角柱１と支柱２２との間隔に対応してビス穴２８，２８・・を選択することにより、前記間隔の変化に容易に対応することができるという効果もある。
【００３６】
請求項２の発明におけるように、前記各金属製四角柱１の相対向する二面５，６に、前記チャンネル１１を嵌合するためのチャンネル嵌合溝１２を下端に有する正面側切欠開口９と、該正面側切欠開口９と相対向する裏面側切欠開口１０とをそれぞれ形成し且つ前記チャンネル嵌合溝１２の両側口縁１２ａ，１２ａに、前記チャンネル１１の嵌合時に該チャンネル１１の両側面に圧接される舌片１５，１５を一体に形成する一方、前記正面側切欠開口９の片側口縁９ａに、該片側口縁９ａを折曲部１３として開閉自在とされ且つ閉止時に前記チャンネル１１の上方に近接される固定片１４を一体に突設した場合、中空な金属製四角柱１の相対向する二面５，６の一方側に形成された裏面側切欠開口１０から正面側切欠開口９の固定片１４を押し開きながらチャンネル１１を挿通させ後、あるいは固定片１４を手指で押し開いた状態でチャンネル１１を挿通させた後、該チャンネル１１を正面側切欠開口９の下端のチャンネル嵌合溝１２における舌片１５，１５に対して嵌合位置決めし、その後前記固定片１４を閉じてその下端をチャンネル１１の上方に近接させると、チャンネル１１のチャンネル嵌合溝１２からの離脱が規制され、金属製四角柱１へのチャンネル１１の組付が確実且つ強固となり、結果としてより堅牢な外壁用下地構造が得られる。
【図面の簡単な説明】
【図１】  本願発明の実施の形態にかかる外壁用下地構造を示す斜視図である。
【図２】  本願発明の実施の形態にかかる外壁用下地構造を示す下部拡大断面図である。
【図３】  本願発明の実施の形態にかかる外壁用下地構造を示す上部拡大断面図である。
【図４】  本願発明の実施の形態にかかる外壁用下地構造に用いられる金属製四角柱の要部を示す拡大斜視図である。
【図５】  本願発明の実施の形態にかかる外壁用下地構造に用いられる中間固定金具の拡大斜視図である。
【符号の説明】
１は金属製四角柱、５は正面、６は裏面、９は正面側切欠開口、９ａは片側口縁、１０は裏面側切欠開口、１１はチャンネル、１２はチャンネル嵌合溝、１２ａは口縁、１３は折曲部、１４は固定片、１５は舌片、１７はヌスミ部、１８は長穴、１９はリブ、２２は支柱、２３は外壁材、２６は中間固定金具、２６ａは対向辺、２６ｂは連結辺、２７はビス、２８はビス穴。
【図１】
0003909931.tif 000002
【図２】
0003909931.tif 000003
【図３】
0003909931.tif 000004
【図４】
0003909931.tif 000005
【図５】
0003909931.tif 000006